(57)【要約】【課題】輸送時や撹拌時に意図せず開放してしまうことを抑制できるとともに、収容された商品を取り出す際には容易に開放することが可能なカプセルを提供する。【解決手段】カプセル１は、第一収容部２と、第二収容部３と、第一ヒンジ部４と、ヒンジ式の留め具６と、前記留め具６を係止可能な第一係止部１６と、を備える。前記ヒンジ式の留め具６は、前記留め具６が前記第一係止部１６に係止された状態で、前記第一収容部２と前記第二収容部３との何れか他方の外面に沿う外側に向かって突出する突起部１３を備える。前記第一収容部２と前記第二収容部３との何れか他方は、前記留め具６が前記第一係止部１６に係止された状態で、前記突起部１３を収容して前記留め具６が前記第一係止部１６から外れる方向への変位を弾性的に規制する第二係止部１７を備える。【選択図】図１
2018150055.tif 000002
【特許請求の範囲】
【請求項１】
凹状の第一収容空間を形成する第一収容部と、
前記第一収容空間と共に商品を収容する一つの商品収容空間を形成する凹状の第二収容空間を形成する第二収容部と、
前記商品収容空間を閉塞する閉塞位置と、前記商品収容空間を開放する開放位置との間で、前記第二収容部と前記第一収容部とを互いに揺動可能に接続する第一ヒンジ部と、
前記第一収容部と前記第二収容部との何れか一方に第二ヒンジ部を介して揺動可能に設けられたヒンジ式の留め具と、
前記第一収容部と前記第二収容部との何れか他方に設けられ、前記第一収容部と前記第二収容部とが前記閉塞位置とされているときに、前記留め具を係止可能な第一係止部と、を備え、
前記ヒンジ式の留め具は、
前記留め具が前記第一係止部に係止された状態で、前記第一収容部と前記第二収容部との何れか他方の外面に沿う外側に向かって突出する突起部を備え、
前記第一収容部と前記第二収容部との何れか他方は、
前記留め具が前記第一係止部に係止された状態で、前記突起部を収容して前記留め具が前記第一係止部から外れる方向への変位を弾性的に規制する第二係止部を備えるカプセル。
【請求項２】
前記突起部は、
前記ヒンジ式の留め具の外縁部のうち、前記留め具のヒンジ部が配置される外縁部とは、反対側の外縁部に形成されている請求項１に記載のカプセル。
【請求項３】
前記突起部と、前記第二係止部とは、それぞれ複数設けられている請求項１又は２に記載のカプセル。
【請求項４】
前記ヒンジ式の留め具は、
前記第二ヒンジ部とは反対側の外縁部に、前記第二ヒンジ部と同方向に延びる第一辺部を備え、
前記突起部は、前記第一辺部から突出している請求項１から３の何れか一項に記載のカプセル。
【請求項５】
前記突起部と、前記第二係止部と、は、
前記第一辺部の延びる方向に間隔をあけて配置されている請求項４に記載のカプセル。
【請求項６】
前記第一収容部と前記第二収容部との何れか他方は、
２つの前記第二係止部の間に前記第二係止部よりも前記商品収容空間の内方に向かって凹む凹部を備える請求項５に記載のカプセル。
【請求項７】
２つの前記第二係止部の間隔は、前記第一辺部の長さよりも短く形成されている請求項６に記載のカプセル。
【発明の詳細な説明】
【技術分野】
【０００１】
この発明は、カプセルに関するものである。
【背景技術】
【０００２】
商品を収容した球状のカプセルを排出する商品排出装置が知られている。この種の商品排出装置は、沢山の球状のカプセルを予め収納部に収納し、コイン投入口から硬貨が投入されてハンドルが回動操作されると、この収納された沢山のカプセルうちの一つを取出口に排出する。
この種の商品排出装置は、何が出てくるか分からないという状態を演出するために、一般に、ハンドルが回動操作されると収納部に収納されたカプセルが撹拌されるようになっている。
さらに、商品を収容した球状のカプセルは、商品排出装置の収納部に収納されるまでの間、大きな袋などに多数入れられて運搬される場合が多い。
【０００３】
上述した球状のカプセルは、２つの半球体を嵌め合わせて結合されることが多い。そして、カプセルは、上記商品排出装置内で撹拌される際や、商品排出装置まで運搬される際に、カプセル同士が押し合ってしまう。そのため、カプセルが内側に弾性変形して、嵌め合わせが外れて商品が外部に出てしまう場合があった。
【０００４】
特許文献１には、カプセルにヒンジ式の留め具を設けて、意図しないカプセルの開放を防ぐ技術が開示されている。
特許文献２には、複数の爪を設けることで、同じく、意図しないカプセルの開放を防ぐ技術が開示されている。
【先行技術文献】
【特許文献】
【０００５】
【特許文献１】特開２０１１−２５５９１６号公報
【特許文献２】特許第５５７９７８４号公報
【発明の概要】
【発明が解決しようとする課題】
【０００６】
しかしながら、特許文献１に記載のカプセルは、異なるカプセルの留め具同士が引っ掛かり、上述した撹拌や搬送の際に、留め具を開放する方向の力が作用して、カプセルが開放してしまう可能性がある。
その一方で、特許文献２のカプセルは、複数の爪を開口縁部の周方向に複数備えているため、輸送時や撹拌時のカプセル開放を抑制できる。しかし、購入した後に商品を取り出そうとしても容易に取り出すことができない。より具体的には、特許文献２のカプセルは、複数の爪を同時に押し込んで弾性変形させながら半球体を互いに離間させる方向に引っ張る必要があるため、特に子供にとって商品の取出しが困難になる場合がある。
【０００７】
この発明は、上記事情に鑑みてなされたものであり、搬送時や撹拌時に意図せず開放してしまうことを抑制できるとともに、収容された商品を取り出す際には容易に開放することが可能なカプセルを提供するものである。
【課題を解決するための手段】
【０００８】
上記の課題を解決するために、この発明は以下の構成を備える。
この発明の第一態様によれば、カプセルは、凹状の第一収容空間を形成する第一収容部と、前記第一収容空間と共に商品を収容する一つの商品収容空間を形成する凹状の第二収容空間を形成する第二収容部と、前記商品収容空間を閉塞する閉塞位置と、前記商品収容空間を開放する開放位置との間で、前記第二収容部と前記第一収容部とを互いに揺動可能に接続する第一ヒンジ部と、前記第一収容部と前記第二収容部との何れか一方に第二ヒンジ部を介して揺動可能に設けられたヒンジ式の留め具と、前記第一収容部と前記第二収容部との何れか他方に設けられ、前記第一収容部と前記第二収容部とが前記閉塞位置とされているときに、前記留め具を係止可能な第一係止部と、を備え、前記ヒンジ式の留め具は、前記留め具が前記第一係止部に係止された状態で、前記第一収容部と前記第二収容部との何れか他方の外面に沿う外側に向かって突出する突起部を備え、前記第一収容部と前記第二収容部との何れか他方は、前記留め具が前記第一係止部に係止された状態で、前記突起部を収容して前記留め具が前記第一係止部から外れる方向への変位を弾性的に規制する第二係止部を備える。
【０００９】
このように構成することで、沢山のカプセルが袋などに収容されカプセルが外部から押圧されたとしても、ヒンジ式の留め具と第一係止部との係止によって、カプセルが開放されることを抑制できる。さらに、複数のカプセルのヒンジ式の留め具同士が引っ掛かり、ヒンジ式の留め具に対して第一係止部から外れる方向の力が作用した場合であっても、突起部と第二係止部との係止によって、ヒンジ式の留め具が第一係止部から外れることを抑制することができる。また、突起部は、第二係止部に対して弾性的に係止されているため、商品を取り出す際には、その弾性力を超える力を作用させることで、第二係止部から突起部を外すことができる。
その結果、カプセルが搬送時や撹拌時に意図せず開放してしまうことを抑制できるとともに、収容された商品を取り出す際には容易に開放することができる。
【００１０】
この発明の第二態様によれば、第一態様に係る突起部は、前記ヒンジ式の留め具の外縁部のうち、前記留め具のヒンジ部が配置される外縁部とは、反対側の外縁部に形成されていてもよい。
このように構成することで、梃子の原理の支点となる第二ヒンジ部から遠い位置に突起部を配置できる。そのため、ヒンジ式の留め具が第一係止部から外れる方向に変位することをより小さい弾性力で規制できる。その結果、より一層、商品を取り出す際には容易に開放することができる。
【００１１】
この発明の第三態様によれば、第一又は第二態様に係る突起部と、第二係止部とは、それぞれ複数設けられていてもよい。
このように構成することで、一組の突起部と第二係止部とにより規制する力を小さくすることができる。その結果、突起部及び第二係止部が大型化することを抑制できるため、突起部と第二係止部との配置自由度を向上できる。また、何れか一組の突起部と第二係止部との係止が外れたとしても、他の突起部と第二係止部とが係止されていれば、ヒンジ式の留め具が第一係止部から外れることを抑制できる。
【００１２】
この発明の第四態様によれば、第一から第三態様の何れか一つの態様に係るヒンジ式の留め具は、前記第二ヒンジ部とは反対側の外縁部に、前記第二ヒンジ部と同方向に延びる第一辺部を備え、前記突起部が、前記第一辺部から突出していてもよい。
このように構成することで、商品を取り出す際に、第一辺部に力を加えやすくなる。そして、第一辺部に力を加えやすいことで、突起部と第二係止部との係止状態を容易に解除させることができる。
【００１３】
この発明の第五態様によれば、第四態様に係る突起部と第二係止部とは、前記第一辺部の延びる方向に間隔をあけて配置されていてもよい。
このように構成することで、第一辺部の延びる方向で隣り合う突起部及び第二係止部の間に位置する第一辺部に指を掛けやすくなる。そのため、商品を取り出す際に、第一辺部に対してより一層力を加えやすくなる。
【００１４】
この発明の第六態様によれば、第五態様に係る第一収容部と第二収容部との何れか他方は、２つの前記第二係止部の間に前記第二係止部よりも前記商品収容空間の内方に向かって凹む凹部を備えていてもよい。
このように構成することで、凹部にユーザの指先を入り込ませることができるため、ヒンジ式の留め具を開放する方向に変位させる際に、第一辺部に対してユーザの爪を引っ掛け易くなる。その結果、ヒンジ式の留め具に対して容易に力を作用させることができる。
【００１５】
この発明の第七態様によれば、第六態様に係るカプセルは、２つの前記第二係止部の間隔は、前記第一辺部の長さよりも短く形成されていてもよい。
このように構成することで、ヒンジ式の留め具の第二ヒンジ部から遠い側の角部を第二凹部側から覆うことができる。そのため、ヒンジ式の留め具に対して、他のカプセルのヒンジ式の留め具が引っ掛かることを抑制できる。これにより、カプセルの輸送中などに第一係止部からヒンジ式の留め具が外れることを抑制できる。
【発明の効果】
【００１６】
上記カプセルによれば、輸送時や撹拌時に意図せず容器が開放してしまうことを抑制できるとともに、収容された商品を取り出す際には容易に開放することが可能となる。
【図面の簡単な説明】
【００１７】
【図１】この発明の実施形態におけるカプセルを開口縁部側から見た斜視図である。
【図２】この発明の実施形態におけるカプセルを開口縁部とは反対側から見た斜視図である。
【図３】この発明の実施形態におけるヒンジ式留め具を表側から見た図である。
【図４】この発明の実施形態におけるヒンジ式留め具を裏側から見た図である。
【図５】この発明の実施形態におけるヒンジ式留め具を側方から見た図である。
【図６】この発明の実施形態における第一係止部及び第二係止部を斜め上方から見た斜視図である。
【図７】この発明お実施形態における第一係止部及び第二係止部を斜め下方から見た斜視図である。
【図８】この発明の実施形態におけるヒンジ式の留め具が第一係止部に係止された状態を示す正面図である。
【発明を実施するための形態】
【００１８】
次に、この発明の一実施形態におけるカプセルを図面に基づき説明する。
図１は、この発明の実施形態におけるカプセルを開口縁部側から見た斜視図である。図２は、この発明の実施形態におけるカプセルを開口縁部とは反対側から見た斜視図である。
この実施形態のカプセル１は、その内部に商品を取出し可能に収容する。このカプセル１は、商品が収容された状態で、例えば、商品排出装置（図示せず）の内部に複数収納される。この商品排出装置は、コイン投入口から硬貨が投入されてハンドルが回動操作されると、内部に収納された複数のカプセル１のうち一つを取出口に排出する。それと同時に、商品排出装置は、ハンドルが回動されると、その内部に収納された複数のカプセル１を撹拌する。
【００１９】
図１、図２に示すように、カプセル１は、第一収容部２と、第二収容部３と、第一ヒンジ部４と、を備えている。このカプセル１は、例えば、全体がポリプロピレンで一体成形されている。
【００２０】
第一収容部２は、凹状の第一収容空間２Ａを形成している。この実施形態における第一収容空間２Ａは、略半球状に形成されている。第一収容部２は、第一収容本体５と、ヒンジ式の留め具６と、段差部７と、を有している。
【００２１】
第一収容本体５は、その第一外壁８の第一外周面９（外側面）が略半球面とされている。この第一収容本体５の開口縁部５ａは、リビングヒンジである第一ヒンジ部４を介して第二収容部３に揺動可能に接続されている。この開口縁部５ａは、その輪郭が略円形となるように形成されている。また、第一収容本体５は、開口縁部５ａの周方向で、第一ヒンジ部４とは反対側に平板部５ｂを有している。この平板部５ｂのうち開口縁部５ａに形成される直線状の縁部５ｃには、第二ヒンジ１０が形成されている。
【００２２】
ヒンジ式の留め具６は、第一収容部２にリビングヒンジである第二ヒンジ部１０を介して揺動可能に設けられ、後述する第一係止部１６に係止可能なように形成されている。このヒンジ式の留め具６は、開口縁部５ａの周方向において、第一ヒンジ部４とは反対側に配置されている。このヒンジ式の留め具６は、留め具本体１１と、係止片１２と、突起部１３と、を備えている。
【００２３】
図３は、この発明の実施形態におけるヒンジ式留め具を表側から見た図である。図４は、この発明の実施形態におけるヒンジ式留め具を裏側から見た図である。図５は、この発明の実施形態におけるヒンジ式留め具を側方から見た図である。
留め具本体１１は、ユーザがカプセル１を開放する際に係止状態を解除操作する部分である。図３、図４に示すように、この実施形態で例示する留め具本体１１は、その表側又は裏側から見て、角が面取りされた略四角形状の外形に形成されている。より具体的には、留め具本体１１は、上述した開口縁部５ａの延びる方向に延びる長辺である第一辺部（外縁部）１１ａ及び第二辺部（外縁部）１１ｂと、開口縁部５ａと直交する方向に延びる短辺である第三辺部（外縁部）１１ｃと第四辺部（外縁部）１１ｄとを備える略長方形状とされている。２つの長辺のうち、第二辺部１１ｂは、第二ヒンジ部１０を介して開口縁部５ａに接続されている。さらに、この留め具本体１１は、表側から見て略四角形状の孔部１４を有している。この孔部１４は、表側から見て、留め具本体１１の中央よりも僅かに第二ヒンジ部１０に近い側に形成されている。
【００２４】
係止片１２は、第二収容部３が備える第一係止部１６（後述する）に係止可能に形成されている。係止片１２は、上述した孔部１４のうち、第二ヒンジ部１０とは反対側の略半分を塞ぐ薄板状に形成されている。この係止片１２は、留め具本体１１の厚さ方向で、留め具本体１１の表面１１ｈよりも裏面１１ｒに近い位置に形成されている。係止片１２は、留め具本体１１の厚さに対して十分に薄く形成され、弾性変形が容易なように形成されている。また、係止片１２は、第二ヒンジ部１０に近い側の縁部１２ａに、第二ヒンジ部１０から離れる方向に凹む凹部１２ｂが形成されている。この凹部１２ｂは、後述する第一係止部１６の基部２３に応じた形状とされている。この凹部１２ｂが形成されていることで、第一係止部１６に対する係止片１２の接触面積が増加し、突起部１３に対して係止片１２を安定的に係止させることが可能となっている。
【００２５】
突起部１３は、第一辺部（外縁部）１１ａに配置されている。言い換えれば、突起部１３は、ヒンジ式の留め具６の第二ヒンジ部１０が配置される第二辺部（外縁部）１１ｂとは反対側に配置されている。突起部１３は、ヒンジ式の留め具６が第一係止部１６（後述する）に係止された状態のときに、第二収容部３の外側面である第二外周面１９に沿って外側に向かうように突出している。この実施形態で例示する突起部１３は、第一辺部１１ａから、カプセル１の経線方向、言い換えれば、第一辺部１１ａと直交する方向の外側に向かって突出している。
【００２６】
この実施形態における突起部１３は、複数設けられ、それぞれ第一辺部１１ａの延びる方向に間隔をあけて配置されている。より具体的には、２つの突起部１３は、第一辺部１１ａのうち、第二ヒンジ部１０から遠い側の２つの角部１１ｃｒ近傍にそれぞれ一つずつ配置されている。
図５に示すように、これら突起部１３は、留め具本体１１の厚さ方向で、中央よりも裏面１１ｒに近い側から外側に向けて突出している。この実施形態で例示する突起部１３は、図３、図４に示すように、その先端部が半球状に丸く形成されている。このように突起部１３が丸く形成されることで、後述する第二係止部１７への突起部１３の係脱をし易くなる。また、図５に示すようにこの実施形態における突起部１３の先端部は、裏面１１ｒ側の角部１３ａが丸く形成される一方で、表面１１ｈ側の角部１３ｂが直交する２つの平面により形成されている。このように角部１３ａが形成されることで、突起部１３を第二係止部１７に対して係止する際には容易に係止させることができる。一方で、このように角部１３ｂが形成されることで、突起部１３を第二係止部１７に対して係止させた後には、意図せずこれらの係止が解除されることを抑制できる。
【００２７】
図４に示すように、この実施形態で例示する留め具本体１１には、その裏面１１ｒに、第二ヒンジ部１０側に両端部が配置されるＵ字状の凹溝１１ｇが形成されている。この凹溝１１ｇが形成されていることによって、留め具本体１１にユーザの指先を引っ掛け易くなり、留め具本体１１の操作性を向上できる。さらに、この実施形態で例示する留め具本体１１の表面１１ｈは、ヒンジ式の留め具６が第一係止部１６に係止された状態で、その周囲に配置される第二収容部３の第二外周面１９を延長するような曲面に形成されている（図２参照）。
【００２８】
図１に示すように、段差部７は、第一収容部２の開口縁部５ａに形成されている。段差部７は、開口縁部５ａの径方向で内側にオフセットするように形成されている。この段差部７は、開口縁部５ａに沿って等幅の帯状に形成されている。この段差部７は、第二収容部３の開口縁部１５ａの内側に嵌合可能ないわゆるインローを形成している。段差部７は、開口縁部５ａにおいて、平板部５ｂの近傍を除く周方向の範囲に形成されている。
【００２９】
図１、図２に示すように、第二収容部３は、凹状の第二収容空間３Ａを形成している。この実施形態における第二収容空間３Ａは、第一収容空間２Ａと同様に、略半球状に形成されている。第二収容空間３Ａは、第一収容空間２Ａと共に、カプセル１内に一つの商品収容空間を形成する（図１参照）。第二収容部３は、第二収容本体１５と、第一係止部１６と、第二係止部１７と、を備えている。なお、図１において、カプセル１が閉塞された閉塞位置における第一収容部２の配置を二点鎖線で示し、カプセル１が開放された開放位置における第一収容部２の配置を実線で示している。
【００３０】
第二収容本体１５は、その第二外壁１８の第二外周面１９が略半球面とされている。この第二収容本体１５の開口縁部１５ａは、第一ヒンジ部４を介して第一収容部２に揺動可能に接続されている。開口縁部１５ａは、第一収容本体５の開口縁部５ａと同様に、その輪郭が略円型となるように形成されている。第二収容本体１５の第二外周面１９は、カプセル１を閉塞した際、より具体的には、第一収容本体５の開口縁部５ａに第二収容本体１５の開口縁部１５ａを当接させた状態で、第一収容本体５の第一外周面９に対して面一となるように形成されている。ここで、図２に示すように、この実施形態における第一収容部２の第一外壁８と、第二収容部３の第二外壁１８とは、それぞれ複数（例えば、４つ）の貫通孔３３を有している。
【００３１】
図６は、この発明の実施形態における第一係止部及び第二係止部を斜め上方から見た斜視図である。図７は、この発明お実施形態における第一係止部及び第二係止部を斜め下方から見た斜視図である。図８は、この発明の実施形態におけるヒンジ式の留め具が第一係止部に係止された状態を示す正面図である。
図６、図７に示すように、第二収容本体１５は、開口縁部１５ａの周方向で、第一ヒンジ部４とは反対側に第一凹部２０と第二凹部（凹部）２１とをそれぞれ備えている。
【００３２】
第一凹部２０は、上述したヒンジ式の留め具６が係止位置（図８参照）にあるときに、ヒンジ式の留め具６を収容可能に形成されている。この第一凹部２０は、上述したヒンジ式の留め具６の厚さと同等の深さに形成され、開口縁部１５ａの径方向内側に向かって凹んでいる。この実施形態における第一凹部２０は、開口縁部１５ａから、この開口縁部１５ａに直交する接線方向で、且つ第二収容部３の経線方向となる方向に延びて、ヒンジ式の留め具６の裏面１１ｒと対向する平面部２２を備えている。ここで、経線方向とは開口縁部１５ａを赤道とした場合の経線方向である。
【００３３】
第二凹部２１は、第一凹部２０に対して、経線方向に隣接して形成されている。この第二凹部２１は、ヒンジ式の留め具６の係止状態を解除する際に、ユーザの指先を入れることが可能となっている。この第二凹部２１によって、ユーザの指先を、ヒンジ式の留め具６の第一辺部１１ａに対して対向させ易くなっている。この第二凹部２１は、周方向における長さが、第一凹部２０よりも短く形成され、その周方向の中心位置Ｃ２が、第一凹部２０の周方向の中心位置Ｃ１と一致するように形成されている（図６参照）。この実施形態における第二凹部２１は、第一凹部２０よりも僅かに深く形成されている。これにより、ユーザの指の爪を、ヒンジ式の留め具６の裏面１１ｒに引掛けることが容易になっている。
【００３４】
図６から図８に示すように、第一係止部１６は、上述したヒンジ式の留め具６を係止可能に形成されている。この第一係止部１６は、上述した第一凹部２０の平面部２２と直交する外側に向かって突出している。第一係止部１６は、正面から見て（図８参照）、開口縁部１５ａの周方向に長い形状とされている。第一係止部１６は、基部２３と頭部２４とを備えている。
【００３５】
基部２３は、平面部２２と直交する方向に延びる柱状に形成されている。この実施形態における基部２３は、その長手方向の両端部が断面円弧状の曲面とされている。つまり、基部２３の断面輪郭は、長円形（より具体的には、角丸長方形）となっている。また、この実施形態における基部２３は、平面部２２と直交する方向の高さ寸法が、平面部２２から開口縁部１５ａの周方向における第一凹部２０の両端部２５同士を繋いだ直線の位置に至る高さ寸法とされている。さらに、基部２３は、上述した係止片１２の凹部１２ｂに応じた外形を有している。つまり、基部２３の断面輪郭は、係止片１２の凹部１２ｂに沿う長円形状となっている。
【００３６】
頭部２４は、係止片１２が基部２３よりも頭部２４側に変位することを規制する。この頭部２４は、基部２３よりも大きい略長円形状とされ、基部２３との間に段差Ｄを有している。この段差Ｄは、係止片１２に引っ掛かり、これにより第一係止部１６にヒンジ式の留め具６が弾性的に係止される。また、この実施形態における頭部２４は、その長さ方向の中央部の両側に、凹部２６が形成されている。
【００３７】
第二係止部１７は、ヒンジ式の留め具６が第一係止部１６に係止された状態で、ヒンジ式の留め具６の突起部１３を収容してヒンジ式の留め具６が第一係止部１６から外れる方向への変位を弾性的に規制する。この第二係止部１７は、第二凹部２１の周方向両側にそれぞれ形成されており、第一凹部２０側に向かって開口する開口部２７（図６参照）を有している。図８に示すように、突起部１３は、第二係止部１７の開口縁２８を弾性変形して乗り越えることで、これら開口部２７の内側に嵌り込む。そして、開口部２７の内側に嵌り込んだ突起部１３の変位は、弾性的に規制される。突起部１３は、第二係止部１７の弾性変形、突起部１３の弾性変形、及び、留め具本体１１の弾性変形等により、第二係止部１７に対して係脱可能となっている。
【００３８】
したがって、上述した実施形態によれば、沢山のカプセル１が袋などに収容されカプセル１が外部から押圧されたとしても、ヒンジ式の留め具６と第一係止部１６との係止によって、カプセル１が開放されることを抑制できる。さらに、複数のカプセル１のヒンジ式の留め具６同士が引っ掛かり、ヒンジ式の留め具６に対して第一係止部１６から外れる方向の力が作用した場合であっても、突起部１３と第二係止部１７との係止によって、ヒンジ式の留め具６が第一係止部１６から外れることを抑制することができる。また、突起部１３は、第二係止部１７に対して弾性的に係止されているため、商品を取り出す際には、その弾性力を超える力を作用させることで、第二係止部１７から突起部１３を外すことができる。
その結果、カプセル１が輸送時や撹拌時に意図せず開放してしまうことを抑制できるとともに、収容された商品を取り出す際には容易に開放することができる。
【００３９】
さらに、突起部１３が第一辺部１１ａに配置されていることで、梃子の原理の支点となる第二ヒンジ部１０から遠い位置に突起部１３を配置できる。そのため、ヒンジ式の留め具６が外れる方向に変位することを、より小さい弾性力で規制できる。その結果、商品を取り出す際にはカプセル１を容易に開放することができる。
【００４０】
また、突起部１３と第二係止部１７とが複数設けられていることで、一組の突起部１３と第二係止部１７とによる係止する力を小さくすることができる。その結果、突起部１３及び第二係止部１７が大型化することを抑制できるため、突起部１３と第二係止部１７との配置自由度を向上できる。
【００４１】
さらに、突起部１３と第二係止部１７とが、第一辺部１１ａの延びる方向に間隔をあけて配置されていることで、第一辺部１１ａの延びる方向で隣り合う突起部１３及び第二係止部１７の間の第一辺部１１ａに指を掛けやすくなる。そのため、商品を取り出すべくヒンジ式の留め具６を揺動操作する際に、第一辺部１１ａに対してより一層力を加えやすくなる。
【００４２】
また、２つの第二係止部１７の間に第二凹部２１を備えていることで、第二凹部２１に指を入り込ませることができる。そのため、ヒンジ式の留め具６を開放する方向に揺動させる際に、第一辺部１１ａに対して容易に力を作用させることができる。
【００４３】
さらに、開口縁部１５ａの周方向で、第二凹部２１の寸法Ｌ２（言い換えれば、第二係止部１７の間隔）が第一凹部２０の寸法Ｌ１（言い換えれば、第一辺部１１ａの長さ）よりも小さく形成されていることで、ヒンジ式の留め具６の第二ヒンジ部１０から遠い側の２つの角部１１ｃｒを経線方向（第二凹部２１側）から覆うことができる。そのため、ヒンジ式の留め具６に対して、他のカプセル１のヒンジ式の留め具６が引っ掛かることを抑制できる。これにより、カプセル１の輸送中などに第一係止部１６からヒンジ式の留め具６が外れることを抑制できる。
ここで寸法Ｌ２としては、使用者が第一辺部１１ａの底面に指先を押し当てられる程度の幅が確保されている必要があり、カプセル１の形状や大きさによっても異なるが、成人男性の人差し指の指先が押し当てられる程度の幅が確保されているのが望ましい。
【００４４】
この発明は上述した実施形態の構成に限られるものではなく、その要旨を逸脱しない範囲で設計変更可能である。
例えば、上述した実施形態においては、第一収容部２と第二収容部３とが半球状に形成されている場合について説明した。しかし、第一収容部２と第二収容部３とは、半球状に限られない。例えば、赤道付近に、円錐面や円筒面を有した球状を変形させた形状であっても良い。さらに、開口縁部５ａ，１５ａが略円形に形成される場合について説明したが、開口縁部５ａ，１５ａの一部に直線が含まれたり、曲率半径の異なる複数の円弧の組み合わせにより形成されたりしても良い。
【００４５】
さらに、上述した実施形態においては、突起部１３が第一辺部１１ａに形成される場合について説明した。しかし、突起部１３は第一辺部１１ａに配置される場合に限られない。例えば、第三辺部１１ｃや第四辺部１１ｄに配置したり、第一辺部１１ａから第四辺部１１ｄのうち、２つ以上の辺部にそれぞれ設けたりしても良い。
【００４６】
また、実施形態においては、開口縁部５ａの周方向で、ヒンジ式の留め具６が第一ヒンジ部４とは反対側に配置され、このヒンジ式の留め具６に対応する位置に第一係止部１６と第二係止部１７とを配置する場合について説明した。しかし、これらヒンジ式の留め具６、第一係止部１６、及び第二係止部１７のそれぞれの周方向の配置は、上述した実施形態の配置に限られない。
【００４７】
また、上述した実施形態においては、突起部１３が２つ設けられている場合を例示した。しかし、突起部１３は２つに限られず、例えば、一つだけ設けたり、３つ以上設けたりしても良い。
さらに、第二係止部１７の開口部２７が略四角形に形成されている場合を例示したが、開口部２７の形状は、突起部１３が係止可能な形状であれば、四角形に限られない。
【００４８】
また、上述した実施形態において、留め具本体１１が正面視で略四角形状に形成される場合について説明したが、留め具本体１１の正面視の形状は、この形状に限られない。さらに、留め具本体１１の表面１１ｈの形状も曲面に限られず平面であっても良い。
【００４９】
また、上述した実施形態において、突起部１３が、留め具本体１１の厚さ方向で、表面１１ｈよりも裏面１１ｒに近い側に配置される場合を例示した。しかし、留め具本体１１の厚さ方向における突起部１３の位置は、上記位置に限られない。
さらに、上述した実施形態においては、第一収容部２にヒンジ式の留め具６を形成し、第二収容部３に第一係止部１６及び第二係止部１７を形成する場合について説明したが、第一収容部２に第一係止部１６及び第二係止部１７を形成し、第二収容部３にヒンジ式の留め具６を形成しても良い。
【符号の説明】
【００５０】
１  カプセル
２  第一収容部
２Ａ  第一収容空間
３  第二収容部
３Ａ  第二収容空間
４  第一ヒンジ部
５  第一収容本体
５ａ  開口縁部
５ｂ  平板部
６  ヒンジ式の留め具
７  段差部
８  第一外壁
９  第一外周面
１０  第二ヒンジ部
１１  留め具本体
１１ａ  第一辺部（外縁部）
１１ｂ  第二辺部（外縁部）
１１ｃ  第三辺部（外縁部）
１１ｄ  第四辺部（外縁部）
１１ｇ  凹溝
１１ｃｒ  角部
１２  係止片
１２ａ  縁部
１２ｂ  凹部
１３  突起部
１３ａ，１３ｂ  角部
１４  孔部
１５  第二収容本体
１５ａ  開口縁部
１６  第一係止部
１７  第二係止部
１８  第二外壁
１９  第二外周面
２０  第一凹部
２１  第二凹部（凹部）
２２  平面部
２３  基部
２４  頭部
２５  両端部
２６  凹部
２７  開口部
２８  開口縁
３３  貫通孔
Ｄ  段差
【図１】
2018150055.tif 000003
【図２】
2018150055.tif 000004
【図３】
2018150055.tif 000005
【図４】
2018150055.tif 000006
【図５】
2018150055.tif 000007
【図６】
2018150055.tif 000008
【図７】
2018150055.tif 000009
【図８】
2018150055.tif 000010